(57)【要約】【課題】クロスフローファンを用いなくても、ファンの風をヒータの長手方向全域に分散させることができる輻射式暖房装置を提供する。【解決手段】熱放射ユニット６は、輻射熱を放射するための細長いヒータ２１を冷却するためのファン２２が設けられると共に、ファン２２から送られた風をヒータ２１の長手方向全域に分散させるための管状部材２３がファン２２とは別個に設けられる。また、ヒータ２１を保護するためのガード部材２５が、ヒータ２１に対してほぼ平行に配置され、管状部材２３の周面のうち、ガード部材に対向する部分に開口４２が形成される。【選択図】        図５
2008111658.tif 000002
【特許請求の範囲】
【請求項１】
輻射熱を放射するための細長いヒータを具備する輻射式暖房装置において、
前記ヒータを冷却するためのファンを設け、前記ファンから送られた風を前記ヒータの長手方向全域に分散させるための分散部材を前記ファンとは別個に設け、
前記分散部材が、前記ヒータの長手方向に対してほぼ平行に延びている管状部材であって、前記分散部材の周面に開口が形成され、
前記ヒータを保護するためのガード部材が前記ヒータに対してほぼ平行に配置され、前記分散部材の周面のうち、前記ガード部材に対向する部分に前記開口が形成された
ことを特徴とする輻射式暖房装置。
【請求項２】
前記ヒータの背面に前記ヒータに沿って設けられた反射板を備え、前記反射板が、前記ヒータの中心軸線を中心として、回転可能に構成されている
ことを特徴とする請求項１記載の輻射式暖房装置。
【発明の詳細な説明】
【技術分野】
【０００１】
本発明は、輻射熱を放射するための細長いヒータを具備する輻射式暖房装置に関し、特には、クロスフローファンを用いなくても、ファンの風をヒータの長手方向全域に分散させることができる輻射式暖房装置に関する。
【背景技術】
【０００２】
従来から、浴室内に温風を供給するための温風供給ユニットと、浴室内に輻射熱を放射するための熱放射ユニットとを具備する浴室用暖房装置が知られている。この種の浴室用暖房装置の例としては、例えば特開２００２−３３３１５３号公報に記載されたものがある。
【０００３】
特開２００２−３３３１５３号公報に記載された浴室用暖房装置では、浴室内に温風を供給することにより、例えば入浴前に浴室を予め暖房しておくための温風供給ユニット（本体側ユニット）が設けられている。詳細には、温風供給ユニット（本体側ユニット）には、浴室内に供給される空気を加熱するためのセラミックヒータと、加熱された空気を浴室内に供給するためのファンとが設けられている。
【０００４】
ユーザーの入浴中に、温風供給ユニット（本体側ユニット）によって浴室内に温風が供給されると、ユーザーの体から蒸発熱が奪われて、ユーザーが寒い思いをしてしまうおそれがある点に鑑み、特開２００２−３３３１５３号公報に記載された浴室用暖房装置では、温風供給ユニット（本体側ユニット）とは別個に、浴室内に輻射熱を放射するための熱放射ユニット（ヒータユニット）が設けられている。つまり、ユーザーの入浴中には、温風供給ユニット（本体側ユニット）よりも熱放射ユニット（ヒータユニット）が主として用いられている。詳細には、熱放射ユニット（ヒータユニット）には、浴室内に輻射熱を放射するためのカーボンランプヒータが設けられている。
【０００５】
【特許文献１】特開２００２−３３３１５３号公報
【発明の開示】
【発明が解決しようとする課題】
【０００６】
ところが、特開２００２−３３３１５３号公報に記載された浴室用暖房装置では、上述したように、入浴中にユーザーが寒い思いをしないように熱放射ユニット（ヒータユニット）が設けられているものの、その熱放射ユニット（ヒータユニット）が、入浴中のユーザーから比較的離れた天井に温風供給ユニット（本体側ユニット）と共に配置されている。そのため、特開２００２−３３３１５３号公報に記載された浴室用暖房装置では、熱放射ユニット（ヒータユニット）から放射された輻射熱による輻射暖房効果が、ユーザーに到達するまでに弱まってしまうおそれがある。つまり、依然として、入浴中にユーザーが寒い思いをしてしまうおそれがある。
【０００７】
また、特開２００２−３３３１５３号公報に記載された熱放射ユニット（ヒータユニット）では、浴室内に輻射熱を放射するためのカーボンランプヒータとして、細長いカーボンランプヒータが用いられている。つまり、特開２００２−３３３１５３号公報に記載された熱放射ユニット（ヒータユニット）では、浴室内の広範囲に輻射熱を放射するために、比較的大きい長手方向寸法を有する細長いカーボンランプヒータが用いられている。
【０００８】
ところで、輻射熱を放射するヒータは、過剰に昇温してしまうと、装置本体自体が高温となり、装置本体を手で触れた場合の危険性の回避が必要となり、また、取付けられる天井や壁等も高温となり、これらの強度も下がってしまうおそれがあるため、従来から、輻射熱を放射するヒータを有する輻射式暖房装置には、ヒータを冷却するためのファンが設けられている。
【０００９】
ところが、上述したように、比較的大きい長手方向寸法を有する細長いヒータが用いられると、例えばシロッコファンのようなファンによっては、細長いヒータの長手方向全域を冷却することができない。詳細には、例えばシロッコファンを細長いヒータの中央部に配置した場合には、細長いヒータの端部の冷却が不十分になってしまう。そのため、従来においては、比較的大きい長手方向寸法を有する細長いヒータが用いられる場合には、細長いヒータの長手方向全域を冷却するようにクロスフローファンを用いなければならなかった。クロスフローファンは他のファンに比べて高価なため、クロスフローファンを用いた場合には、それに伴って装置全体のコストが上昇してしまっていた。
【００１０】
前記問題点に鑑み、本発明は、クロスフローファンを用いなくても、ファンの風をヒータの長手方向全域に分散させることができる輻射式暖房装置を提供することを目的とする。
【課題を解決するための手段】
【００１１】
請求項１に記載の発明によれば、輻射熱を放射するための細長いヒータを具備する輻射式暖房装置において、ヒータを冷却するためのファンを設け、ファンから送られた風をヒータの長手方向全域に分散させるための分散部材をファンとは別個に設け、分散部材が、ヒータの長手方向に対してほぼ平行に延びている管状部材であって、分散部材の周面に開口が形成され、ヒータを保護するためのガード部材がヒータに対してほぼ平行に配置され、分散部材の周面のうち、ガード部材に対向する部分に開口が形成されたことを特徴とする輻射式暖房装置が提供される。
【発明の効果】
【００１２】
請求項１に記載の輻射式暖房装置では、輻射熱を放射するための細長いヒータと、そのヒータを冷却するためのファンとが設けられ、更に、ファンの風を細長いヒータの長手方向全域に分散させるための分散部材が、ファンとは別個に設けられている。詳細には、分散部材が、ヒータの長手方向に対してほぼ平行に延びている管状部材により構成され、分散部材の周面に開口が形成されている。そのため、クロスフローファンを用いなくても、例えばシロッコファンのようなファンの風を、分散部材によってヒータの長手方向全域に分散させることができる。つまり、高価なクロスフローファンが用いられる場合よりも、輻射式暖房装置全体のコストを低減することができる。
【００１３】
また、請求項１に記載の輻射式暖房装置では、ヒータを保護するためのガード部材がヒータに対してほぼ平行に配置されている。更に、分散部材の周面のうち、ガード部材に対向する部分に開口がされている。詳細には、ファンの風が、まず、ガード部材の長手方向に対してほぼ平行に分散部材内を移動せしめられ、次いで、ガード部材の長手方向に対してほぼ直角をなす向きに開口を介して吹き出され、その風により、ガード部材が冷却される。そのため、クロスフローファンを用いなくても、ガード部材の長手方向全域にわたってガード部材を冷却することができる。
【発明を実施するための最良の形態】
【００１４】
図１は本発明の輻射式暖房装置を備えた浴室用暖房システムの第１の実施形態を示した図である。図１において、１は浴室、２は浴室１内に配置された浴槽、３は浴室１の天井、４は浴室１の壁である。５は浴室用暖房システムの一部を構成する温風供給ユニット、６は浴室用暖房システムの一部を構成する輻射式暖房装置の一例としての熱放射ユニットである。７は脱衣室、８は浴室用暖房システムの操作部である。図１に示すように、第１の実施形態の浴室用暖房システムでは、温風供給ユニット５が浴室１の天井３に配置され、熱放射ユニット６が浴室１の壁４に配置されている。
【００１５】
図２は図１に示した温風供給ユニット５の拡大断面図である。図２において、１２は温風供給ユニット５のケーシング、１３は浴室１内の空気を温風供給ユニット５内に吸い込むための吸気口である。１４は温風供給ユニット５内に吸い込まれた空気を浴室１内に吹き出して循環させるための吹出口、１５は温風供給ユニット５内に吸い込まれた空気を室外に排出するための排気口である。Ｄは温風供給ユニット５内に吸い込まれた空気を浴室１内に吹き出して循環させるか、あるいは、室外に排出するかを切り換えるためのダンパである。Ｆ１は浴室１内の空気を温風供給ユニット５内に吸い込み、その空気を浴室１内に吹き出して循環させるか、あるいは、室外に排出するためのファンである。ＭはファンＦ１を駆動するためのモータである。Ｈは浴室１内に吹き出して循環せしめられる空気を加熱するための、例えばＰＴＣヒータ、セラミックヒータ等のようなヒータである。ｔは温風供給ユニット５を配置するために天井３に形成された開口である。
【００１６】
第１の実施形態の浴室用暖房システムでは、例えばユーザーの入浴前に浴室１を予め暖房しておくために、浴室１内の空気を加熱して循環させる予備暖房モードが設けられている。例えばユーザーにより、予備暖房モードが選択されると、図２に示すように、ダンパＤが実線で示す位置（Ｄ）に配置される。次いで、ファンＦ１により吸気口１３を介して温風供給ユニット５内に吸い込まれた空気が、ダンパＤによって案内され、ヒータＨによって加熱され、吹出口１４を介して浴室１内に吹き出される。
【００１７】
更に、第１の実施形態の浴室用暖房システムでは、浴室１内の空気を室外に排出する換気モードが設けられている。例えばユーザーにより、換気モードが選択されると、図２に示すように、ダンパＤが破線で示す位置（Ｄ'）に配置される。次いで、ファンＦ１により吸気口１３を介して温風供給ユニット５内に吸い込まれた空気が、破線で示す位置（Ｄ'）に配置されたダンパＤによって案内され、排気口１５を介して室外に排出される。
【００１８】
更に、第１の実施形態の浴室用暖房システムでは、浴室１内の空気の一部を加熱して循環させつつ、浴室１内の空気の一部を室外に排出する乾燥モードが設けられている。例えばユーザーにより、乾燥モードが選択されると、図２に示すように、ダンパＤが一点鎖線で示す位置（Ｄ”）に配置される。次いで、ファンＦ１により吸気口１３を介して温風供給ユニット５内に吸い込まれた空気の一部が、一点鎖線で示す位置（Ｄ”）に配置されたダンパＤによって案内され、ヒータＨによって加熱され、吹出口１４を介して浴室１内に吹き出される。更に、ファンＦ１により吸気口１３を介して温風供給ユニット５内に吸い込まれた空気の残りが、一点鎖線で示す位置（Ｄ”）に配置されたダンパＤによって案内され、排気口１５を介して室外に排出される。
【００１９】
更に、第１の実施形態の浴室用暖房システムでは、浴室１内の空気を加熱することなく循環させる涼風モードが設けられている。例えばユーザーにより、涼風モードが選択されると、図２に示すように、ダンパＤが実線で示す位置（Ｄ）に配置される。次いで、ファンＦ１により吸気口１３を介して温風供給ユニット５内に吸い込まれた空気が、ダンパＤによって案内され、ヒータＨによって加熱されることなく、吹出口１４を介して浴室１内に吹き出される。なお、この涼風モードにおいて、ダンパＤの位置をＤ'よりにして一部の空気を排気しながら、吹出口１４から浴室１内へ吹き出し、空気が循環されるようにしてもよい。
【００２０】
図３は図１に示した熱放射ユニット６の拡大断面図、図４は図３に示した熱放射ユニット６を図３の左側から見た図、図５は図３に示した熱放射ユニット６を図３の下側から見た図である。図３〜図５において、２１は例えば遠赤外線を放射することにより輻射熱を放射するための、例えばカーボンランプヒータのような細長いヒータである。輻射熱を放射するものであれば、カーボンランプヒータではなく、ハロゲンヒータなどの他の輻射式ヒータであってもよい。２２はヒータ２１を冷却する風を供給するための、例えばシロッコファンのようなファンである。２３はファン２２の風をヒータ２１の長手方向全域に分散させるための管状部材である。この管状部材２３は、ヒータ２１の長手方向に対してほぼ平行に延びている。２４はヒータ２１により放射された輻射熱を反射するための反射板である。この反射板２４も、ヒータ２１の長手方向に対してほぼ平行に延びている。２５はヒータ２１を保護するためのガード部材である。このガード部材２５も、ヒータ２１の長手方向に対してほぼ平行に延びている。
【００２１】
３１，３２，３３は管状部材２３の周面、４１はヒータ２１および反射板２４に対向する周面３１に形成された複数の開口、４２はガード部材２５に対向する周面３２に形成された複数の開口、４３はガード部材２５に対向する周面３３に形成された複数の開口である。５１，５２は管状部材２３の端部、５３は管状部材２３の中央部である。
【００２２】
図３に示すように、複数の開口４１は、ヒータ２１の長手方向（図３の奥行き方向）全域にわたって、ヒータ２１の長手方向に対してほぼ平行に配列されている。図３および図４に示すように、管状部材２３の端部５１に配置されたファン２２の風は、まず、ヒータ２１の長手方向に対してほぼ平行に管状部材２３内を移動せしめられる。次いで、管状部材２３内を移動せしめられた風の一部が、ヒータ２１の長手方向に対してほぼ直角をなす向きに開口４１を介して吹き出される。開口４１から吹き出された風により、ヒータ２１および反射板２４が長手方向全域にわたって冷却される。
【００２３】
図３および図５に示すように、複数の開口４２は、ヒータ２１の長手方向（図５の左右方向）全域にわたって、ヒータ２１の長手方向に対してほぼ平行に配列されている。管状部材２３内を移動せしめられた風の一部が、ヒータ２１の長手方向に対してほぼ直角をなす向きに開口４２を介して吹き出される。図示しないが、上述した開口４１も、図５に示した開口４２と同様にほぼ等間隔で配列されている。
【００２４】
図３および図４に示すように、複数の開口４３は、ヒータ２１の長手方向（図４の左右方向）全域にわたって、ヒータ２１の長手方向に対してほぼ平行に配列されている。管状部材２３内を移動せしめられた風の一部が、ヒータ２１の長手方向に対してほぼ直角をなす向きに開口４３を介して吹き出される。開口４２，４３から吹き出された風により、ガード部材２５が長手方向全域にわたって冷却される。
【００２５】
第１の実施形態の浴室用暖房システムを構成する本発明の輻射式暖房装置としての熱放射ユニット６では、例えば円形の同一寸法の複数の開口４１，４２，４３が、管状部材２３の周面３１，３２，３３に長手方向全域にわたって例えば等間隔で配列されている。そのため、管状部材２３の中央部５３に形成された開口４１，４２，４３から吹き出される風の量と、管状部材２３の端部５１，５２に形成された開口４１，４２，４３から吹き出される風の量とが、ほぼ等しくなっている。
【００２６】
第１の実施形態の浴室用暖房システムの熱放射ユニットの変形例では、断続的な複数の開口４１の代わりに、連続的なスリット状の開口を設けることも可能である。同様に、断続的な複数の開口４２の代わりに、図１１に示すような連続的なスリット状の開口４２'を設け、断続的な複数の開口４３の代わりに、図１２に示すような連続的なスリット状の開口４３'を設けることも可能である。
【００２７】
また、第１の実施形態の浴室用暖房システムの熱放射ユニットの他の変形例では、同一寸法の複数の開口４１，４２，４３を、管状部材２３の周面３１，３２，３３に長手方向全域にわたって等間隔で配列する代わりに、異なる寸法の複数の開口を、管状部材２３の周面３１，３２，３３に長手方向全域にわたって不等間隔で配列することも可能である。それにより、管状部材２３の中央部５３に形成された開口から吹き出される風の量を、管状部材２３の端部５１，５２に形成された開口から吹き出される風の量よりも多くすることができる。
【００２８】
更に、第１の実施形態の浴室用暖房システムの熱放射ユニット６では、図３に示すように、反射板２４が、例えばヒータ２１の中心軸線を中心として回転可能に構成されている。それにより、図１に直線と破線とで示すように、放射される輻射熱の向きを調整することができる。
【００２９】
また、第１の実施形態の浴室用暖房システムの熱放射ユニット６では、図３および図４に示すように、ファン２２が、反射板２４と壁４との間に配置されるのではなく、管状部材２３の端部５１に配置されている。つまり、熱放射ユニット６の薄型化が図られている。そのため、ファン２２が反射板２４と壁４との間に配置される場合よりも、ユーザーに対して浴室１内の空間を広く感じさせることができる。
【００３０】
図６は第１の実施形態の浴室用暖房システムの電気回路の一部を示した図である。図６において、６０は交流電源、６１は温風供給システム５に設けられた熱放射ユニット用端子台、６２は例えば１５Ａの電流が流れた時に作動する電源ヒューズである。６３は例えば１２５℃に到達した時に作動する温度ヒューズ、６４は例えば７０℃に到達した時に作動するサーマルプロテクタである。
【００３１】
第１の実施形態の浴室用暖房システムでは、図６に示すように、熱放射ユニット６のヒータ２１と、熱放射ユニット６の安全装置を構成する電流ヒューズ６２、温度ヒューズ６３、サーマルプロテクタ６４、および、場合によっては電源スイッチ（図示せず）とが、熱放射ユニット用端子台６１に対して直列に接続されている。安全装置を構成する電流ヒューズ６２、温度ヒューズ６３、および、サーマルプロテクタ６４については、それぞれ熱的に安全を確保できる位置に配置されている。電流ヒューズ６２および温度ヒューズ６３は不可逆的な安全装置として機能し、サーマルプロテクタ６４は可逆的な安全装置として機能する。熱放射ユニット６のヒータ２１には、温風供給ユニット５に設けられた熱放射ユニット用端子台６１を介してＡＣ１００Ｖ電源が供給される。
【００３２】
また、第１の実施形態の浴室用暖房システムでは、熱放射ユニット６を制御するための制御部（図示せず）を熱放射ユニット６に設けると、その制御部を防水構造にしなければならない点に鑑み、熱放射ユニット６を制御するための制御部が、熱放射ユニット６には設けられず、温風供給システム５に設けられている。
【００３３】
更に、第１の実施形態の浴室用暖房システムでは、上述した予備暖房モード、換気モード、乾燥モード、および涼風モードの他に、例えばユーザーの入浴中に浴室１を暖房するために、熱放射ユニット６によって浴室１内に輻射熱が放射される入浴暖房モードが設けられている。例えばユーザーにより、入浴暖房モードが選択されると、図３〜図５に示したヒータ２１に対する通電が行われ、浴室１内に輻射熱が放射される。また、ヒータ２１、反射板２４、およびガード部材２５が過剰に昇温するのを抑制するために、ファン２２が駆動され、ヒータ２１、反射板２４、およびガード部材２５が冷却される。尚、ファン２２の風量は微風に設定されている。そのため、入浴者の濡れた体にファン２２の風が当たり、それによって気化熱が奪われ、入浴者が肌寒さを感じてしまうようなことはない。
【００３４】
また、第１の実施形態の浴室用暖房システムでは、温風供給ユニット５と熱放射ユニット６とが連動制御されている。詳細には、温風供給ユニット５のヒータＨと、熱放射ユニット６のヒータ２１とを同時に駆動するのが制限または禁止されている。また、ユーザーが予備暖房モードから入浴暖房モードに切り換えなくても、ユーザーが浴室１内に入室したと判断された時に、予備暖房モードが入浴暖房モードに自動的に切り換えられる。具体的には、浴室１の照明（図示せず）が点灯された時に、ユーザーが浴室１内に入室したと判断され、予備暖房モードが入浴暖房モードに自動的に切り換えられる。
【００３５】
第１の実施形態の浴室用暖房システムの変形例では、代わりに、ユーザーによって予備暖房モードが選択されてから所定時間経過した時に、ユーザーが浴室１内に入室したと判断し、予備暖房モードを入浴暖房モードに自動的に切り換えることも可能である。
【００３６】
第１の実施形態の浴室用暖房システムの他の変形例では、代わりに、浴室１内に設けられた人体感知センサ（図示せず）が作動した時に、ユーザーが浴室１内に入室したと判断し、予備暖房モードを入浴暖房モードに自動的に切り換えることも可能である。
【００３７】
第１の実施形態の浴室用暖房システムでは、図１に示したように、浴室１内に輻射熱を放射するための熱放射ユニット６が、浴室１の壁４に配置されている。つまり、入浴中のユーザーに比較的近い浴室１の壁４に熱放射ユニット６が配置されている。そのため、入浴中のユーザーから比較的離れている天井３に熱放射ユニットが配置された場合よりも、輻射暖房効果を高めることができる。
【００３８】
更に、第１の実施形態の浴室用暖房システムでは、図１に示したように、浴室１の天井３に配置された温風供給ユニット５を操作するための操作部８と、浴室１の壁４に配置された熱放射ユニット６を操作するための操作部８とが一体化されている。そのため、温風供給ユニット５を操作するための操作部と熱放射ユニット６を操作するための操作部とが別個に設けられている場合よりも、浴室用暖房システムの操作性を向上させることができる。
【００３９】
また、第１の実施形態の浴室用暖房システムでは、上述したように、温風供給ユニット５と熱放射ユニット６とを同時に駆動するのが制限または禁止されている。詳細には、温風供給ユニット５のヒータＨと、熱放射ユニット６のヒータ２１とを同時に駆動するのが制限または禁止されている。そのため、温風供給ユニット５のヒータＨと熱放射ユニット６のヒータ２１とが同時に駆動されるのに伴って消費電力が増大し、それにより、ブレーカーが作動してしまうのを回避することができる。
【００４０】
更に、第１の実施形態の浴室用暖房システムおよびその変形例では、上述したように、ユーザーが浴室１内に入室したと判断された時に、浴室１内に温風が供給される予備暖房モードが浴室１内に輻射熱が放射される入浴暖房モードに自動的に切り換えられる。そのため、例えばユーザーが入浴前に予備暖房モードを入浴暖房モードに切り換え忘れた場合であっても、ユーザーの入浴中に、浴室１内に温風が供給し続けられてしまう、つまり、予備暖房モードが継続されてしまうのを回避することができる。
【００４１】
また、第１の実施形態の浴室用暖房システムを構成する本発明の輻射式暖房装置としての熱放射ユニット６では、図３〜図５に示したように、輻射熱を放射するための細長いヒータ２１と、そのヒータ２１を冷却するためのファン２２とが設けられ、更に、ファン２２の風を細長いヒータ２１の長手方向全域に分散させるための管状部材２３が、ファン２２とは別個に設けられている。詳細には、管状部材２３が、ヒータ２１の長手方向に対してほぼ平行に延びており、管状部材２３の周面３１，３２，３３に開口４１，４２，４３が形成されている。そのため、クロスフローファンを用いなくても、例えばシロッコファンのようなファン２２の風を、管状部材２３によってヒータ２１の長手方向全域に分散させることができる。つまり、高価なクロスフローファンが用いられる場合よりも、装置全体のコストを低減することができる。すなわち、管状部材２３を設けることにより、輻射式ヒータの背面からクロスフローファンを用いて風を送る構造にしなくてもよく、ヒータ２１の側方に小さなシロッコファン２２を用いることができ、熱放射ユニット６を薄く小型化することができる。
【００４２】
更に、第１の実施形態の浴室用暖房システムの熱放射ユニット６では、図３に示したように、管状部材２３の周面３１，３２，３３のうち、ヒータ２１に対向する周面３１に開口４１が形成されている。詳細には、ファン２２の風が、まず、ヒータ２１の長手方向に対してほぼ平行に管状部材２３内を移動せしめられ、次いで、ヒータ２１の長手方向に対してほぼ直角をなす向きに開口４１を介して吹き出され、その風により、ヒータ２１が冷却される。そのため、クロスフローファンを用いなくても、ヒータ２１の長手方向全域にわたってヒータ２１を冷却することができる。
【００４３】
また、第１の実施形態の浴室用暖房システムの熱放射ユニット６では、図３に示したように、ヒータ２１により放射された輻射熱を反射するための反射板２４がヒータ２１に対してほぼ平行に配置されている。更に、管状部材２３の周面３１，３２，３３のうち、反射板２４に対向する周面３１に開口４１が形成されている。詳細には、ファン２２の風が、まず、反射板２４の長手方向に対してほぼ平行に管状部材２３内を移動せしめられ、次いで、反射板２４の長手方向に対してほぼ直角をなす向きに開口４１を介して吹き出され、その風により、反射板２４が冷却される。そのため、クロスフローファンを用いなくても、反射板２４の長手方向全域にわたって反射板２４を冷却することができる。
【００４４】
更に、第１の実施形態の浴室用暖房システムの熱放射ユニット６では、図３〜図５に示したように、ヒータ２１を保護するためのガード部材２５がヒータ２１に対してほぼ平行に配置されている。更に、管状部材２３の周面３１，３２，３３のうち、ガード部材２５に対向する周面３２，３３に開口４２，４３がされている。詳細には、ファン２２の風が、まず、ガード部材２５の長手方向に対してほぼ平行に管状部材２３内を移動せしめられ、次いで、ガード部材２５の長手方向に対してほぼ直角をなす向きに開口４２，４３を介して吹き出され、その風により、ガード部材２５が冷却される。そのため、クロスフローファンを用いなくても、ガード部材２５の長手方向全域にわたってガード部材２５を冷却することができる。
【００４５】
また、第１の実施形態の浴室用暖房システムの熱放射ユニット６では、図４および図５に示したように、管状部材２３の端部５１にファン２２が配置されている。そのため、管状部材２３の周面３１，３２，３３上や、反射板２４と壁４との間にファンが配置される場合よりも、例えば熱放射ユニット６の高さ寸法（図３の上下方向寸法）または奥行き寸法（図３の左右方向寸法）のような熱放射ユニット６の短手寸法を小さくすることができる。
【００４６】
更に、第１の実施形態の浴室用暖房システムの熱放射ユニット６の変形例では、上述したように、ヒータ２１の使用中には、ヒータ２１の端部５１，５２よりもヒータ２１の中央部５３の方が昇温しやすく、それに伴って、反射板２４およびガード部材２５の端部５１，５２よりもそれらの中央部５３の方が昇温しやすい点に鑑み、管状部材２３の中央部５３に形成された開口（図示せず）から吹き出される風の量が、管状部材２３の端部５１，５２に形成された開口（図示せず）から吹き出される風の量よりも多くなるように、開口の寸法が設定されている。そのため、例えば、管状部材２３の中央部５３に形成された開口から吹き出される風の量が、管状部材２３の端部５１，５２に形成された開口から吹き出される風の量よりも少ない場合や、管状部材２３の中央部５３に形成された開口から吹き出される風の量と、管状部材２３の端部５１，５２に形成された開口から吹き出される風の量とが等しい場合のように、ヒータ２１、反射板２４、またはガード部材２５の中央部５３の温度が端部５１，５２の温度よりも高くなってしまうのを回避することができる。
【００４７】
以下、本発明の輻射式暖房装置を備えた浴室用暖房システムの第２の実施形態について説明する。第２の実施形態の浴室用暖房システムは、図１に示した第１の実施形態の浴室用暖房システムとほぼ同様に構成されている。図７は第２の実施形態の浴室用暖房ユニットの温風供給ユニット１０５の断面図、図８は図７に示した温風供給ユニット１０５を左側から見た断面図、図９は図７に示した温風供給ユニット１０５を上側から見た図である。図７〜図９において、１１１は温風供給ユニット１０５の一部を構成する換気ユニット、１１８は浴室１内の空気を換気ユニット１１１内に吸い込むための吸気口である。１１７は換気ユニット１１１内に吸い込まれた空気を室外に排出するための排気口である。１１５は浴室１内の空気を換気ユニット１１１内に吸い込み、その空気を室外に排出するための換気用ファンである。Ｍ１は換気用ファン１１５を駆動するためのモータである。１３０は浴室１内の空気を吸気口１１８に供給するための通路、１３０Ａは通路１３０の入口開口、１３１は換気用ファン１１５によって換気される空気量を調整するために通路１３０内に配置されたシャッタである。
【００４８】
１２０は温風供給ユニット１０５の一部を構成する循環ユニット、１２３Ｃは浴室１内の空気を循環ユニット１２０内に吸い込むための吸気口である。１２１Ａは循環ユニット１２０内に吸い込まれた空気を浴室１内に吹き出して循環させるための吹出口である。１２４は浴室１内の空気を循環ユニット１２０内に吸い込み、その空気を浴室１内に吹き出して循環させるための循環用ファンである。Ｍ２は循環用ファン１２４を駆動するためのモータである。１２６は浴室１内に吹き出して循環せしめられる空気を加熱するためのヒータである。
【００４９】
第２の実施形態の浴室用暖房システムでは、例えばユーザーの入浴前に浴室１を予め暖房しておくために、浴室１内の空気を加熱して循環させる予備暖房モードが設けられている。例えばユーザーにより、暖房モードが選択されると、図７に示すように、循環用ファン１２４により吸気口１２３Ｃを介して循環ユニット１２０内に吸い込まれた空気が、ヒータ１２６によって加熱され、浴室１内に吹き出される。
【００５０】
更に、第２の実施形態の浴室用暖房システムでは、浴室１内の空気を室外に排出する換気モードが設けられている。例えばユーザーにより、換気モードが選択されると、図８に示すように、シャッタ１３１が破線で示す位置に配置される。次いで、図７および図８に示すように、換気用ファン１１５により、入口開口１３０Ａ、通路１３０、および吸気口１１８を介して換気ユニット１１１内に吸い込まれた空気が、排気口１１７を介して室外に排出される。
【００５１】
更に、第２の実施形態の浴室用暖房システムでは、浴室１内の空気の一部を加熱して循環させつつ、浴室１内の空気の一部を室外に排出する乾燥モードが設けられている。例えばユーザーにより、乾燥モードが選択されると、図８に示すように、シャッタ１３１が破線で示す位置に配置される。次いで、図７に示すように、循環用ファン１２４により吸気口１２３Ｃを介して循環ユニット１２０内に吸い込まれた浴室１内の空気の一部が、ヒータ１２６によって加熱され、浴室１内に吹き出される。更に、図７および図８に示すように、換気用ファン１１５により、入口開口１３０Ａ、通路１３０、および吸気口１１８を介して換気ユニット１１１内に吸い込まれた浴室１内の空気の一部が、排気口１１７を介して室外に排出される。
【００５２】
更に、第２の実施形態の浴室用暖房システムでは、浴室１内の空気を加熱することなく少量を排気しながら循環させる涼風モードが設けられている。例えばユーザーにより、涼風モードが選択されると、図７に示すように、循環用ファン１２４により吸気口１２３Ｃを介して循環ユニット１２０内に吸い込まれた空気が、ヒータ１２６によって加熱されることなく、浴室１内に吹き出される。
【００５３】
第２の実施形態の浴室用暖房システムの熱放射ユニットは、図１および図３〜図５に示した熱放射ユニット６と同様に構成されている。また、第２の実施形態の浴室用暖房システムの電気回路は、第１の実施形態の浴室用暖房システムの電気回路とほぼ同様に構成されている。
【００５４】
第２の実施形態の浴室用暖房システムにおいても、第１の実施形態の浴室用暖房システムと同様に、上述した予備暖房モード、換気モード、乾燥モード、および涼風モードの他に、例えばユーザーの入浴中に浴室１を暖房するために、熱放射ユニット６によって浴室１内に輻射熱が放射される入浴暖房モードが設けられている。第２の実施形態の浴室用暖房システムの入浴暖房モードにおいては、第１の実施形態の浴室用暖房システムの入浴暖房モードと同様に、熱放射ユニット６が作動される。
【００５５】
また、第２の実施形態の浴室用暖房システムにおいても、第１の実施形態の浴室用暖房システムと同様に、温風供給ユニット１０５と熱放射ユニット６とが連動制御されている。詳細には、温風供給ユニット１０５のヒータ１２６と、熱放射ユニット６のヒータ２１とを同時に駆動するのが制限または禁止されている。また、ユーザーが予備暖房モードから入浴暖房モードに切り換えなくても、ユーザーが浴室１内に入室したと判断された時に、予備暖房モードが入浴暖房モードに自動的に切り換えられる。具体的には、浴室１の照明（図示せず）が点灯された時に、ユーザーが浴室１内に入室したと判断され、予備暖房モードが入浴暖房モードに自動的に切り換えられる。
【００５６】
第２の実施形態の浴室用暖房システムの変形例では、第１の実施形態の浴室用暖房システムの変形例と同様に、ユーザーによって予備暖房モードが選択されてから所定時間経過した時に、ユーザーが浴室１内に入室したと判断し、予備暖房モードを入浴暖房モードに自動的に切り換えることも可能である。
【００５７】
第２の実施形態の浴室用暖房システムの他の変形例では、第１の実施形態の浴室用暖房システムの他の変形例と同様に、浴室１内に設けられた人体感知センサ（図示せず）が作動した時に、ユーザーが浴室１内に入室したと判断し、予備暖房モードを入浴暖房モードに自動的に切り換えることも可能である。
【００５８】
上述したように第２の実施形態の浴室用暖房システムおよびその変形例は、第１の実施形態の浴室用暖房システムおよびその変形例とほぼ同様に構成されているため、第２の実施形態の浴室用暖房システムおよびその変形例によれば、第１の実施形態の浴室用暖房システムおよびその変形例とほぼ同様の効果を奏することができる。
【００５９】
以下、本発明の輻射式暖房装置を備えた浴室用暖房システムの第３の実施形態について説明する。第３の実施形態の浴室用暖房システムは、後述する点を除き、第１の実施形態の浴室用暖房システムとほぼ同様に構成されているため、第３の実施形態の浴室用暖房システムによれば、第１の実施形態の浴室用暖房システムとほぼ同様の効果を奏することができる。
【００６０】
図１０は第３の実施形態の浴室用暖房システムの電気回路の一部を示した図である。図１０において、図６に示した参照番号と同一の参照番号は、図６に示した部品と同一の部品を示しており、２００は、第１の実施形態の浴室用暖房システムとは異なり、熱放射ユニット６に設けられた熱放射ユニット用電源制御基板である。２０１はＤＣ電源、２０２，２０３はヒータ２１を制御するためのリレー、２０４はサーミスタ、２０５は抵抗、２０６はＣＰＵである。
【００６１】
第３の実施形態の浴室用暖房システムでは、図１０に示すように、熱放射ユニット６のヒータ２１と、熱放射ユニット６の安全装置を構成する電流ヒューズ６２、温度ヒューズ６３、および、サーマルプロテクタ６４とが、熱放射ユニット用端子台６１に対して直列に接続されている。安全装置を構成する電流ヒューズ６２、温度ヒューズ６３、および、サーマルプロテクタ６４については、それぞれ熱的に安全を確保できる位置に配置されている。電流ヒューズ６２および温度ヒューズ６３は不可逆的な安全装置として機能し、サーマルプロテクタ６４は可逆的な安全装置として機能する。熱放射ユニット６のヒータ２１には、温風供給ユニット５に設けられた熱放射ユニット用端子台６１を介してＡＣ１００Ｖ電源が供給される。熱放射ユニット６のヒータ２１のＯＮ／ＯＦＦ制御は、サーミスタ２０４と抵抗２０５とによる分圧電圧をＣＰＵ２０６のＡＤポートで検出することにより、行われる。
【００６２】
上述した第１から第３の実施形態およびそれらの変形例では、本発明の熱放射ユニット６が、温風供給ユニット５，１０５と熱放射ユニット６とを有する浴室用暖房システムに適用されているが、第４の実施形態では、代わりに、温風供給ユニット５，１０５を有しない輻射式暖房装置に対して本発明の熱放射ユニット６を適用することも可能である。
【００６３】
第５の実施形態では、上述した第１から第４の実施形態およびそれらの変形例を適宜組み合わせることも可能である。
【００６４】
また、上述した第１から第５の実施形態およびそれらの変形例では、本発明の輻射式暖房装置を備えた浴室用暖房システムが例えば一戸建住宅のような住宅構造に適用されているが、第６の実施形態では、本発明の輻射式暖房装置を備えた浴室用暖房システムを例えばマンションの一世帯のような住宅構造に適用することも可能である。
【図面の簡単な説明】
【００６５】
【図１】本発明の輻射式暖房装置を備えた浴室用暖房システムの第１の実施形態を示した図である。
【図２】図１に示した温風供給ユニット５の拡大断面図である。
【図３】図１に示した熱放射ユニット６の拡大断面図である。
【図４】図３に示した熱放射ユニット６を図３の左側から見た図である。
【図５】図３に示した熱放射ユニット６を図３の下側から見た図である。
【図６】第１の実施形態の浴室用暖房システムの電気回路の一部を示した図である。
【図７】第２の実施形態の浴室用暖房ユニットの温風供給ユニット１０５の断面図である。
【図８】図７に示した温風供給ユニット１０５を左側から見た断面図である。
【図９】図７に示した温風供給ユニット１０５を上側から見た図である。
【図１０】第３の実施形態の浴室用暖房システムの電気回路の一部を示した図である。
【図１１】連続的なスリット状の開口４２'などを示した図である。
【図１２】連続的なスリット状の開口４３'などを示した図である。
【符号の説明】
【００６６】
１ 浴室
３ 天井
４ 壁
５ 温風供給ユニット
６ 熱放射ユニット
７ 操作部
【図１】
2008111658.tif 000003
【図２】
2008111658.tif 000004
【図３】
2008111658.tif 000005
【図４】
2008111658.tif 000006
【図５】
2008111658.tif 000007
【図６】
2008111658.tif 000008
【図７】
2008111658.tif 000009
【図８】
2008111658.tif 000010
【図９】
2008111658.tif 000011
【図１０】
2008111658.tif 000012
【図１１】
2008111658.tif 000013
【図１２】
2008111658.tif 000014